(57)【特許請求の範囲】
【請求項１】
電子部品が実装された基板を収容し、開口部を有する導電性のケース本体であって、一部が前記開口部を形成する本体側壁部と、前記本体側壁部における前記開口部側の端部に連続して該開口部の外側に延びるように形成される本体外縁部と、を有するケース本体と、
前記開口部を塞ぐように配置される導電性の天板であって、
前記本体外縁部に対向して配置される対向外縁部と、
凹状部であって、前記対向外縁部に連結され前記本体側壁部に対向して配置される対向側壁部と、外縁が前記対向側壁部における前記対向外縁部と反対側の端部に連結される天板底部と、を有する凹状部と、
前記対向側壁部に形成され、前記本体側壁部側に向けて付勢されて前記ケース本体と前記天板とを電気的に接続する複数の接点部と、を有する天板と、を備える
シールドケース。
【請求項２】
前記接点部は、
前記対向側壁部を切り欠いて形成され、自由端を有する付勢部と、
前記付勢部の自由端側における前記本体側壁部側の面に形成され、前記本体側壁部側へ突出する凸部と、を有し、
前記天板が前記ケース本体に取り付けられた状態において、前記付勢部は、前記本体側壁部と反対側に撓んで弾性力を有した状態となり、前記凸部は、前記付勢部により前記本体側壁部に付勢された状態で前記本体側壁部に当接する
請求項１に記載のシールドケース。
【請求項３】
前記本体外縁部に形成される位置決め部と、
前記対向外縁部に形成され、前記本体外縁部が延びる方向の前記天板の位置を規制するように前記位置決め部に係止される被位置決め部と、を備える
請求項１又は２に記載のシールドケース。
【請求項４】
前記天板を前記ケース本体に固定するための固定部材であって、前記固定部材を取り付ける方向である取付方向に移動させて、前記天板及び前記ケース本体を固定する固定部材を備え、
前記複数の接点部は、前記取付方向と交差する方向に向けて付勢されて前記ケース本体と前記天板とを電気的に接続する
請求項１から３のいずれかに記載のシールドケース。
【請求項５】
前記複数の接点部の間隔は、規制されるノイズの周波数に応じて設定される
請求項１から４のいずれかに記載のシールドケース。
【請求項６】
被画像形成材に画像を形成する画像形成部と、
前記画像形成部を収容する導電性の筐体と、
前記筐体に電気的に接続される前記請求項１から５のいずれかに記載のシールドケースと、を備える画像形成装置。
【発明の詳細な説明】
【技術分野】
【０００１】
本発明は、シールドケース及びこれを備える画像形成装置に関する。
【背景技術】
【０００２】
従来、コピー機やプリンター等の画像形成装置のシールドケースとして、電子部品が実装された回路基板（基板）を収容し開口部を有するケース本体と、ケース本体の開口部を塞ぐように配置される天板とを備えるものが多く存在する。回路基板には、画像形成部を構成する各種部材を制御するための電子部品等が実装されている。
【０００３】
ここで、回路基板に実装された電子部品から発生された高周波ノイズの伝播や輻射を抑制するため、ケース本体と天板とを複数のネジ部材で締結したり、ケース本体と天板との間にガスケット等のシールド性能を向上させる別部材を取り付けたりすることがある。
しかし、シールドケースにおいて、複数のネジ部材を用いたり、シールド性能を向上させる別部材を用いたりする場合には、コスト高になる場合がある。
また、ケース本体や天板をシールド性能を向上させる形状に形成することがある。例えば、画像形成装置のシールドケースとして、引っ掛け状の凸部を有する天板と、引っ掛け状の凸部に係合する係合部を有する天板とを備えるシールドケースが提案されている（例えば、特許文献１参照）。
【先行技術文献】
【特許文献】
【０００４】
【特許文献１】特開２００２−４３７８７号公報
【発明の概要】
【発明が解決しようとする課題】
【０００５】
しかし、特許文献１に開示されたシールドケースは、天板の引っ掛け状の凸部を、ケース本体の係合部に引っ掛けることで、天板とケース本体とを接触させている。そのため、特許文献１に記載のシールドケースにおいては、天板とケース本体とが接触する部分の接触圧力が不安定になる可能性がある。これにより、シールド性能が安定しない場合がある。そのため、開口部を有するケース本体と、ケース本体の開口を塞ぐように配置される天板とを備えるシールドケースにおいて、更なるシールド性能の向上が望まれている。
【０００６】
本発明は、開口部を有するケース本体と、ケース本体の開口部を塞ぐように配置される天板と、を備え、高周波ノイズに対するシールド性能が向上されたシールドケースを提供することを目的とする。
また、本発明は、前記シールドケースを備える画像形成装置を提供することを目的とする。
【課題を解決するための手段】
【０００７】
本発明は、電子部品が実装された基板を収容し、開口部を有する導電性のケース本体であって、一部が前記開口部を形成する本体側壁部と、前記本体側壁部における前記開口部側の端部に連続して該開口部の外側に延びるように形成される本体外縁部と、を有するケース本体と、前記開口部を塞ぐように配置される導電性の天板であって、前記本体外縁部に対向して配置される対向外縁部と、凹状部であって、前記対向外縁部に連結され前記本体側壁部に対向して配置される対向側壁部と、外縁が前記対向側壁部における前記対向外縁部と反対側の端部に連結される天板底部と、を有する凹状部と、前記対向側壁部に形成され、前記本体側壁部側に向けて付勢されて前記ケース本体と前記天板とを電気的に接続する複数の接点部と、を有する天板と、を備えるシールドケースに関する。
【０００８】
また、本発明は、電子部品が実装された基板を収容し、開口部を有する導電性のケース本体と、前記開口部を塞ぐように配置される導電性の天板と、前記天板を前記ケース本体に固定するための固定部材であって、前記固定部材を取り付ける方向である取付方向に移動させて、前記天板及び前記ケース本体を固定する固定部材と、前記取付方向と交差する方向に向けて付勢されて前記ケース本体と前記天板とを電気的に接続する複数の接点部と、を備えるシールドケースに関する。
【０００９】
また、本発明は、被画像形成材に画像を形成する画像形成部と、前記画像形成部を収容する導電性の筐体と、前記筐体に電気的に接続される前記シールドケースと、を備える画像形成装置に関する。
【発明の効果】
【００１０】
本発明によれば、開口部を有するケース本体と、ケース本体の開口部を塞ぐように配置される天板と、を備え、高周波ノイズに対するシールド性能が向上されたシールドケースを提供することができる。
また、本発明によれば、前記シールドケースを備える画像形成装置を提供することができる。
【図面の簡単な説明】
【００１１】
【図１】本発明の一実施形態としてのコピー機１における各構成要素の配置を説明するための左側面図である。
【図２】本実施形態のコピー機１の筐体１１０の後側面１１１にシールドケース４００を取り付けた状態を示す斜視図である。
【図３】図２に示すＡ−Ａ線断面図である。
【図４】本実施形態のシールドケース４００において、ケース本体４０１から天板４０２を外した状態を示す斜視図である。
【図５】図４おける矢視Ｂから視た斜視図である。
【図６Ａ】ケース本体４０１に天板４０２を取り付ける際の取り付け手順を示す概念図であって、ケース本体４０１から天板４０２を外した状態を示す図である。
【図６Ｂ】ケース本体４０１に天板４０２を取り付ける際の取り付け手順を示す概念図であって、ケース本体４０１に天板４０２を取り付けた状態を示す図である。
【図６Ｃ】ケース本体４０１に天板４０２を取り付ける際の取り付け手順を示す概念図であって、複数の固定用ネジ部材４０４で固定する前の状態を示す図である。
【図６Ｄ】ケース本体４０１に天板４０２を取り付ける際の取り付け手順を示す概念図であって、ケース本体４０１及び天板４０２を、複数の固定用ネジ部材４０４で固定した状態を示す図である。
【発明を実施するための形態】
【００１２】
以下、本発明の実施形態について図面を参照して説明する。
図１により、画像形成装置の一実施形態としてのコピー機１における全体構造を説明する。図１は、本発明の一実施形態としてのコピー機１における各構成要素の配置を説明するための左側面図である。
以下の説明において、コピー機１の前側に立ったユーザーから見て、左右方向を矢印ＸのＸ方向とし、前後（奥行き）方向を矢印ＹのＹ方向とし、上下方向を矢印ＺのＺ方向とする。なお、図２から図４、図６Ａから図６Ｃに示すように、シールドケース４００等の具体的な説明においては、図１におけるＹ方向の「後方側（奥側）」から視た図により説明する。
【００１３】
図１に示すように、本実施形態のコピー機１は、コピー機本体１００と、コピー機本体１００の垂直方向下側に配置され、コピー機本体１００に増設される増設ユニット３００とを備える。増設ユニット３００は、シート状の被画像形成材である用紙Ｔを後述の筐体１１０に給紙可能に収容するユニットである。増設ユニット３００は、ユーザーの要望により、適宜、コピー機本体１００に増設される。
【００１４】
図１に示すように、コピー機本体１００は、画像読取装置２００と、装置本体１０５とを備える。
画像読取装置２００は、画像読取部２０１と、画像読取部２０１の垂直方向上側に配置され画像読取部２０１に原稿Ｇ（シート材）を自動的に搬送するシート材給送装置６９０とを備える。
【００１５】
図１に示すように、シート材給送装置６９０は、給送機構筐体６９１と、原稿載置部７１０と、原稿集積部７２０と、中間トレイ７３０とを備える。
【００１６】
給送機構筐体６９１は、シート材給送装置６９０における給送機構が収納された筐体である。
原稿載置部７１０は、画像が読み取られる前の原稿Ｇ（シート材）が載置される部分である。
原稿集積部７２０は、原稿載置部７１０の垂直方向下側に位置し、所定の画像読取位を通過した原稿Ｇが集積される部分である。
【００１７】
中間トレイ７３０は、原稿載置部７１０と原稿集積部７２０との間に配置され、原稿載置部７１０と原稿集積部７２０との間の空間を原稿集積部７２０側の第１空間と原稿載置部７１０側の第２空間とに仕切るトレイである。
【００１８】
画像読取部２０１は、光源を含む照明部と、光路を形成する複数のミラーと、結像レンズと、読取手段としてのＣＣＤと、ＣＣＤにより読み取られた画像情報に対して所定の処理をすると共に該画像情報を装置本体１０５側に出力させるＣＣＤ基板とを備える。
シート材給送装置６９０において、読取位置に搬送された原稿Ｇに形成された画像は、ＣＣＤにより読み取られる。
【００１９】
図１に示すように、装置本体１０５は、画像読取装置２００（画像読取部２０１）の垂直方向下側に配置される。
装置本体１０５は、所定の画像情報に基づいて用紙Ｔに所定の画像を形成する画像形成部ＧＫと、用紙Ｔを画像形成部ＧＫに給紙すると共に画像が形成された用紙Ｔを排紙する給排紙部とを有する。
【００２０】
また、装置本体１０５は、画像形成部ＧＫや給排紙部を収容する導電性の部材で構成された筐体１１０と、増設ユニット用本体３１０と、を有する。
装置本体１０５の筐体１１０の後側面１１１（図１において左側）には、シールドケース４００が取り付けられている。シールドケース４００には、ＣＰＵ、メモリーやクロック等の複数の電子部品及び所定の回路が実装された回路基板が収容されている。
シールドケース４００については後述する。
【００２１】
図１に示すように、画像形成部ＧＫは、感光体ドラム２と、帯電部１０と、レーザースキャナーユニット４と、現像器１６と、トナーカートリッジ５と、トナー供給装置６と、転写ローラー８と、ドラムクリーニング装置１１と、定着部としての定着装置９とを備える。
また、給排紙部は、給紙カセット５２と、手差しトレイ６５と、レジストローラー対８０と、用紙Ｔの搬送路Ｌ（Ｌ１〜Ｌ９）とを備える。
【００２２】
感光体ドラム２は、円筒形状の部材からなり、像担持体として機能する。感光体ドラム２は、図１の紙面に対して垂直な回転軸を中心に回転可能な態様で装置本体１０５に配置される。感光体ドラム２の表面には、静電潜像が形成される。
【００２３】
帯電部１０は、感光体ドラム２の垂直方向上側（上方）に配置される。帯電部１０は、感光体ドラム２の表面を一様に正（プラス極性）帯電させる。
【００２４】
レーザースキャナーユニット４は、感光体ドラム２の垂直方向上側（上方）に感光体ドラム２から離間して配置される。レーザースキャナーユニット４は、不図示のレーザー光源、ポリゴンミラー、ポリゴンミラー駆動用モーター等を有して構成される。
【００２５】
レーザースキャナーユニット４は、画像読取装置２００から出力された画像情報に基づいて、感光体ドラム２の表面を走査露光する。レーザースキャナーユニット４により走査露光されることによって、感光体ドラム２の表面に帯電した電荷が除去される。これにより、感光体ドラム２の表面に静電潜像が形成される。
【００２６】
レーザースキャナーユニット４は、画像読取装置２００から出力された画像情報に基づいて、感光体ドラム２の表面を走査露光する。レーザースキャナーユニット４により走査露光されることによって、感光体ドラム２の表面に帯電した電荷が除去される。これにより、感光体ドラム２の表面に静電潜像が形成される。
【００２７】
現像器１６は、感光体ドラム２の前方（図１における右側）に配置される。現像器１６は、感光体ドラム２に形成された静電潜像に単色（通常はブラック）のトナー画像を現像する。現像器１６は、感光体ドラム２に対向配置可能な現像ローラー１７と、トナー攪拌用の攪拌ローラー１８と、を有して構成される。
【００２８】
トナーカートリッジ５は、現像器１６に供給されるトナーを収容する。
トナー供給装置６は、トナーカートリッジ５に収容されたトナーを、現像器１６に供給する。
【００２９】
ドラムクリーニング装置１１は、感光体ドラム２の後方（図１における左側）に配置される。ドラムクリーニング装置１１は、感光体ドラム２の表面に残留したトナーや付着物を除去する。
【００３０】
転写ローラー８は、感光体ドラム２の表面に現像されたトナー画像を用紙Ｔに直接的に転写させる。転写ローラー８には、不図示の電圧印加手段により、感光体ドラム２に現像されたトナー画像を用紙Ｔに転写させるための転写バイアスが印加される。
【００３１】
転写ローラー８は、感光体ドラム２に当接される当接位置と、感光体ドラム２から離間する離間位置とに移動可能に構成される。詳細には、転写ローラー８は、感光体ドラム２に現像されたトナー画像を用紙Ｔに転写させる場合には当接位置に移動され、他の場合には離間位置に移動される。
【００３２】
ここで、用紙Ｔは、感光体ドラム２と転写ローラー８とによって挟み込まれ、感光体ドラム２の表面（トナー画像が現像された側）に押し当てられる。このようにして転写部としての転写ニップＮが形成され、感光体ドラム２に現像されたトナー画像は、用紙Ｔに転写される。
【００３３】
定着装置９は、用紙Ｔに転写されたトナー画像を構成するトナーを溶融させて、用紙Ｔに定着させる。定着装置９は、ヒーターにより加熱される加熱ローラー９ａと、加熱ローラー９ａに圧接される加圧ローラー９ｂと、を備える。加熱ローラー９ａと加圧ローラー９ｂとは、トナー画像が転写された用紙Ｔを挟持するようにして搬送する。用紙Ｔが加熱ローラー９ａと加圧ローラー９ｂとの間に挟持されるように搬送されることによって、用紙Ｔに転写されたトナーは、溶融されると共に該用紙Ｔの表面に定着される。
【００３４】
給紙カセット５２は、装置本体１０５の下部（垂直方向における下側）に配置される。給紙カセット５２は、装置本体１０５の前側（図１における右側）に水平方向に引き出し可能に配置される。給紙カセット５２は、用紙Ｔが載置される載置板６０を備えており、給紙カセット５２には、載置板６０に用紙Ｔが積層された状態で、用紙Ｔが収容される。カセット給紙部５１は、給紙カセット５２の用紙送り出し側端部（図１における右側端部）に配置される。カセット給紙部５１は、給紙カセット５２に収容された用紙Ｔを搬送路Ｌに送り出す。
【００３５】
カセット給紙部５１は、載置板６０に載置された用紙Ｔを取り出す前送りコロ６１と、用紙Ｔを１枚ずつ搬送路Ｌに送り出すローラー対６３とからなる重送防止機構を備える。
【００３６】
カセット給紙部５１又は手差し給紙部６４と排紙部５０との間には、用紙Ｔを搬送する搬送路Ｌが形成される。搬送路Ｌは、装置本体１０５のカセット給紙部５１から第１合流部Ｐ１までの第１搬送路Ｌ１と、第１合流部Ｐ１からレジストローラー対８０までの第２搬送路Ｌ２と、レジストローラー対８０から転写ローラー８までの第３搬送路Ｌ３と、転写ローラー８から定着装置９までの第４搬送路Ｌ４と、定着装置９から分岐部Ｐ３までの第５搬送路Ｌ５と、分岐部Ｐ３から排紙部５０までの第６搬送路Ｌ６と、を有する。
【００３７】
また、搬送路Ｌは、手差しトレイ６５から第１合流部Ｐ１までの第７搬送路Ｌ７を有する。第１合流部Ｐ１は、装置本体１０５のカセット給紙部５１から用紙Ｔを搬送する第１搬送路Ｌ１と、手差しトレイ６５から用紙Ｔを搬送する第７搬送路Ｌ７との合流部である。
【００３８】
また、本実施形態の搬送路Ｌは、装置本体１０５のカセット給紙部５１から第１合流部Ｐ１までの第１搬送路Ｌ１から増設ユニット３００側に延長形成され、増設ユニット３００から給紙される用紙Ｔを第１搬送路Ｌ１に搬送する増設ユニット用搬送路Ｌ８を有する。
【００３９】
増設ユニット３００は、垂直方向に（２段になるよう）並んだ給紙カセット５２、５２を備える。増設ユニット３００は、給紙カセット５２、５２に対応して配置されるカセット給紙部５１、５１を備える。増設ユニット３００は、不図示の連結機構を介して筐体１１０と連結される。
筐体１１０と連結された増設ユニット３００は、筐体１１０側の不図示の電源部から供給される電力や不図示の画像形成制御部からの制御信号を装置本体側コネクタ１２１を介して受信する増設ユニット側コネクタ３２１を有する。
また、増設ユニット３００は、カセット給紙部５１、５１から繰り出される用紙Ｔを、装置本体１０５側の増設ユニット用搬送路Ｌ８に送り出す連絡搬送路Ｌ９を有する。
【００４０】
第２搬送路Ｌ２の途中には、第２合流部Ｐ２が配置される。更に、搬送路Ｌは、分岐部Ｐ３から第２合流部Ｐ２までの戻し搬送路Ｌｂを有する。第２合流部Ｐ２は、第２搬送路Ｌ２と戻し搬送路Ｌｂとの合流部である。
【００４１】
ここで、転写ローラー８における用紙Ｔの搬送方向の上流側（図１における右側）には、レジストローラー対８０が配置される。レジストローラー対８０は、用紙Ｔのスキュー（斜め給紙）補正や、トナー画像とのタイミング調整を行うためのローラー対である。
【００４２】
戻し搬送路Ｌｂは、用紙Ｔの両面印刷を行う際に、既に印刷されている面とは反対面（未印刷面）を感光体ドラム２に対向させるために設けられる搬送路である。
【００４３】
戻し搬送路Ｌｂによれば、分岐部Ｐ３から排紙部５０側に搬送された用紙Ｔを表裏反転させて第２搬送路Ｌ２に戻すことができる。戻し搬送路Ｌｂにより表裏反転された用紙Ｔは、感光体ドラム２により未印刷面に対して所定のトナー画像が転写される。
【００４４】
筐体１１０の前面側（図１における右側）であって、給紙カセット５２の上方には、手差し給紙部６４が設けられる。手差し給紙部６４は、手差しトレイ６５と、給紙コロ６６とを備える。手差しトレイ６５は、その基端部が第７搬送路Ｌ７の入口近傍に回動自在（開閉自在）に取り付けられる。手差しトレイ６５は、その閉状態において、筐体１１０の前面の一部を構成する。給紙コロ６６は、手差しトレイ６５に載置された用紙Ｔを取り出し、第７搬送路Ｌ７に向けて送り出す。
【００４５】
手差し給紙部６４は、開状態の手差しトレイ６５に載置された用紙Ｔを、第７搬送路Ｌ７及び第１合流部Ｐ１を介して、第２搬送路Ｌ２に給紙する。
【００４６】
第６搬送路Ｌ６における端部には、排紙部５０が形成される。排紙部５０は、装置本体１０５における上方側に配置される。排紙部５０は、装置本体１０５の前方（図１における右方）に向けて開口している。排紙部５０は、定着装置９によりトナーが定着された用紙Ｔを装置本体１０５の外部に排紙する。
【００４７】
排紙部５０における開口側には、排紙集積部Ｍ１が形成される。排紙集積部Ｍ１は、装置本体１０５における上面（外面）に形成される。排紙集積部Ｍ１は、装置本体１０５における上面が下方（垂直方向下側）に窪んで形成された部分である。排紙集積部Ｍ１の底面は、装置本体１０５における上面の一部を構成する。排紙集積部Ｍ１には、排紙部５０から排紙された、所定画像が転写された用紙Ｔが積層して集積される。
【００４８】
次に、図２から図５により、一実施形態のコピー機１における特徴部分であるシールドケース４００に係る構成について説明する。
図２は、本実施形態のコピー機１の筐体１１０の後側面１１１にシールドケース４００を取り付けた状態を示す斜視図である。図３は、図２に示すＡ−Ａ線断面図である。図４は、本実施形態のシールドケース４００において、ケース本体４０１から天板４０２を外した状態を示す斜視図である。図５は、図４おける矢視Ｂから視た斜視図である。
【００４９】
図２及び図３に示すように、シールドケース４００は、コピー機１の筐体１１０の後側面１１１に取り付けられる。シールドケース４００は、ケース本体４０１と、天板４０２と、固定部材としての複数の固定用ネジ部材４０４と、を有する。ケース本体４０１及び天板４０２は、導電性を有する部材により形成される。
【００５０】
ケース本体４０１は、図４に示すように、開口部４０３を有する有底の略直方体形状に形成される。ケース本体４０１は、電子部品６０１が実装された回路基板（基板）６００を収容する。
ケース本体４０１は、図３及び図４に示すように、本体底面部４１０と、本体底面部４１０に連続する本体側壁部４２０と、本体外縁部４３０と、を有する。ケース本体４０１は、金属板等を加工して形成される。
【００５１】
本体底面部４１０は、筐体１１０の後側面１１１に取り付けられている。本体底面部４１０は、方形状の板材により形成されている。本体底面部４１０は、筐体１１０に電気的に接続されている。
【００５２】
本体底面部４１０における筐体１１０の後側面１１１側と反対側の面には、回路基板６００が取り付けられている。回路基板６００は、ケース本体４０１の本体底面部４１０に電気的に接続される。
【００５３】
回路基板６００には、１又は複数の電子部品６０１が実装されている。１又は複数の電子部品６０１は、例えば、ＡＳＩＣ等のような高周波ノイズを輻射する要因となる所定の電子部品及び回路を含む。
【００５４】
本体側壁部４２０は、本体底面部４１０の外縁の各辺から、本体底面部４１０に対して直交して延びる（突出する）ように形成される。本体側壁部４２０は、本体底面部４１０の外縁の辺に沿って周回する方形筒状に形成される。
【００５５】
本体側壁部４２０における本体底面部４１０と反対側の端部側の一部は、開口部４０３を形成する。開口部４０３は、コピー機１の外側に向けて開口する。
【００５６】
本実施形態においては、本体側壁部４２０は、例えば、金属板等を本体底面部４１０の外縁に沿うように方形筒状に折り曲げて形成される。また、本体側壁部４２０において、折り曲げられた部分以外の連結部分は、例えば、溶接加工や、バーリング加工等でかしめることにより接合されている。
【００５７】
本体外縁部４３０は、本体側壁部４２０における開口部４０３側の端部に連続して形成される。本体外縁部４３０は、本体側壁部４２０における開口部４０３側の端部の各辺から、本体側壁部４２０に直交する方向に、開口部４０３の外側に所定幅で延びるように形成される。本体外縁部４３０は、本体底面部４１０に平行な板材により形成される。
本体外縁部４３０は、本体側壁部４２０における開口部４０３側の端部の各辺において、所定幅で各辺の全域にわたって延びるように形成されている。
【００５８】
本体外縁部４３０は、複数の本体側ネジ孔４３１と、位置決め部としての複数の本体側係止凸部４３２と、を有する。
複数の本体側ネジ孔４３１は、本体外縁部４３０をＸ方向に貫通する孔により形成される。本実施形態においては、複数の本体側ネジ孔４３１は、各本体外縁部４３０に２つずつ、計８つ設けられる。
複数の本体側ネジ孔４３１それぞれは、後述する複数の天板側ネジ孔４８１それぞれと共に、後述する固定用ネジ部材４０４により固定される。これにより、ケース本体４０１と天板４０２とは、固定される。
【００５９】
複数の本体側係止凸部４３２は、本体外縁部４３０に形成される。
複数の本体側係止凸部４３２は、本体外縁部４３０から本体底面部４１０と反対側に突出するように形成される。本実施形態においては、複数の本体側係止凸部４３２は、Ｚ方向に離間する２つの本体外縁部４３０，４３０において、Ｙ方向の略中央に１つずつ、計２つ設けられる。
複数の本体側係止凸部４３２は、後述する被位置決め部としての天板側係止孔部４８２を係止する。
【００６０】
天板４０２は、ケース本体４０１の開口部４０３を塞ぐように配置される。天板４０２は、対向外縁部４８０と、凹状部４５０と、を有する。
【００６１】
対向外縁部４８０は、本体外縁部４３０に平行な板材により形成され、本体外縁部４３０に対向して配置される。対向外縁部４８０は、本体外縁部４３０に対応して、Ｘ方向から視た場合に、本体外縁部４３０と略同じ形状に形成される。対向外縁部４８０は、本体外縁部４３０とＸ方向に重なった状態で配置される。対向外縁部４８０は、本体外縁部４３０に当接又は近接して配置される。
【００６２】
対向外縁部４８０は、複数の天板側ネジ孔４８１と、被位置決め部としての複数の天板側係止孔部４８２と、を有する。
複数の天板側ネジ孔４８１は、対向外縁部４８０をＸ方向に貫通する孔により形成される。複数の天板側ネジ孔４８１は、前述の複数の本体側ネジ孔４３１に対応して、複数の本体側ネジ孔４３１とＸ方向に重なった位置に形成される。本実施形態においては、複数の天板側ネジ孔４８１は、前述の複数の本体側ネジ孔４３１に対応して、各対向外縁部４８０に２つずつ、計８つ設けられる。
複数の天板側ネジ孔４８１それぞれは、前述の複数の本体側ネジ孔４３１と共に、後述する固定用ネジ部材４０４により固定される。これにより、ケース本体４０１と天板４０２とは、固定される。
【００６３】
複数の天板側係止孔部４８２は、対向外縁部４８０に形成される。
複数の天板側係止孔部４８２は、対向外縁部４８０をＸ方向に貫通する孔により形成される。複数の天板側係止孔部４８２は、本体外縁部４３０が延びる方向の天板４０２の位置を規制するように、本体側係止凸部４３２に係止される。本実施形態においては、本体外縁部４３０が延びる方向とは、Ｙ方向及びＺ方向により形成されるＹ−Ｚ平面方向である。
【００６４】
複数の天板側係止孔部４８２は、前述の複数の本体側係止凸部４３２に対応して、複数の本体側係止凸部４３２とＸ方向に重なった位置に形成される。複数の天板側係止孔部４８２は、前述の複数の本体側係止凸部４３２に対応して、Ｚ方向に離間する２つの対向外縁部４８０において、Ｙ方向の略中央に１つずつ、計２つ設けられる。
【００６５】
凹状部４５０は、対向外縁部４８０の内縁に連続して形成されており、対向外縁部４８０から、ケース本体４０１の本体底面部４１０側に窪むように形成される。
凹状部４５０は、天板底部４６０と、対向側壁部４７０と、により一体的に形成される。
【００６６】
天板底部４６０は、方形状の板材により形成される。天板底部４６０は、本体底面部４１０に平行に配置される。天板底部４６０は、Ｘ方向から視た場合に、本体底面部４１０と略同じ形状に形成される。天板底部４６０は、回路基板６００から所定距離だけ離間して配置される。天板底部４６０は、その外縁が、対向側壁部４７０における対向外縁部４８０と反対側の端部に連結される。
【００６７】
対向側壁部４７０は、対向外縁部４８０の内縁に連結される。対向側壁部４７０は、本体側壁部４２０に対向して配置される。対向側壁部４７０は、本体側壁部４２０における開口部４０３側の端部側の部分において、本体側壁部４２０の内面に沿うように形成される。対向側壁部４７０は、本体側壁部４２０における開口部側の端部側の部分と、Ｙ方向又はＺ方向に重なった状態で配置される。
【００６８】
対向側壁部４７０は、複数の接点部４７１を有する。
複数の接点部４７１は、対向側壁部４７０に形成され、本体側壁部４２０側に向けて付勢されて、ケース本体４０１と天板４０２とを電気的に接続する。
【００６９】
複数の接点部４７１の間隔は、規制されるノイズの周波数に応じて設定される。
具体的には、例えば、複数の接点部４７１の間隔は、複数の接点部４７１の間隔おける僅かな溝からノイズが漏洩した場合のノイズの周波数が、ＥＭＩ規格で規制される周波数（例えば、３０ＭＨｚ〜６ＧＨｚ）を避けるように設定される。また、例えば、複数の接点部４７１の間隔が一定であると、ダイポールアンテナとして機能する可能性があるため、複数の接点部４７１の間隔が一定にならないように設定される。
本実施形態においては、例えば、所定の接点部４７１と、隣り合う接点部４７１の間隔は、一定でなく、第１間隔Ｋ１及び第２間隔Ｋ２とが繰り返されるように設定されている。第１間隔Ｋ１は、第２間隔Ｋ２と異なる間隔であって、第２間隔Ｋ２よりも大きい間隔である。本実施形態においては、例えば、第１間隔Ｋ１は、３５ｍｍ〜５０ｍｍ程度であり、第２間隔Ｋ２は、２５ｍｍ〜３０ｍｍ程度である。
【００７０】
複数の接点部４７１それぞれは、図５に示すように、付勢部４７２と、凸部４７３と、を有する。付勢部４７２は、対向側壁部４７０及び天板底部４６０を切り欠いて形成される。付勢部４７２は、Ｕ字状溝部４７４と、延長溝部４７５とにより形成される。
【００７１】
Ｕ字状溝部４７４は、対向側壁部４７０を貫通して切り欠いた溝である。Ｕ字状溝部４７４は、Ｕ字の文字の開放側の端部が、対向側壁部４７０における天板底部４６０側の端部に位置するようなＵ字形状に形成される溝である。
【００７２】
延長溝部４７５は、天板底部４６０を貫通して切り欠いた溝である。延長溝部４７５は、Ｕ字状溝部４７４におけるＵ字の文字の開放側の端部から、天板底部４６０側に延びるように延長される溝である。
【００７３】
付勢部４７２は、Ｕ字状溝部４７４及び延長溝部４７５の内側の部分により形成される。付勢部４７２は、Ｕ字状溝部４７４により切り欠かれた部分により形成される自由端を有する片持ち状に形成される。付勢部４７２の自由端は、対向側壁部４７０における対向外縁部４８０側に配置される。
詳細については後述するが、付勢部４７２の自由端側は、後述する凸部４７３が押圧されることで撓んで、弾性変形して弾性力を有した状態になる。
【００７４】
本実施形態においては、延長溝部４７５の長さを調整することにより、付勢部４７２の弾性変形の軟らかさを調整可能である。例えば、延長溝部４７５の長さを短くした場合には、付勢部４７２の弾性変形は、硬くなる。また、延長溝部４７５の長さを長くした場合には、付勢部４７２の弾性変形は、軟らかくなる。
【００７５】
付勢部４７２の弾性変形の軟らかさは、シールドケース４００の材質や厚さ等や、付勢部４７２の付勢力等を考慮して、延長溝部４７５の長さを調整することにより、適宜調整される。
なお、本実施形態においては、付勢部４７２において、延長溝部４７５が、天板底部４６０に形成される構成を説明しているが、これに制限されず、延長溝部４７５が存在しない構成であってもよい。
【００７６】
凸部４７３は、図３及び図５に示すように、付勢部４７２の自由端側の先端側に形成される。凸部４７３は、付勢部４７２における本体側壁部４２０側の面（シールドケース４００の外側に向く面）に形成される。
凸部４７３は、付勢部４７２における本体側壁部４２０側の面から本体側壁部４２０側へ突出する。
【００７７】
このように構成される複数の接点部４７１において、複数の付勢部４７２は、図３に示すように、天板４０２がケース本体４０１に取り付けられた状態において、本体側壁部４２０と反対側に撓んで弾性力を有した状態となる。また、複数の凸部４７３は、複数の付勢部４７２により本体側壁部４２０に付勢された状態で、本体側壁部４２０に当接する。これにより、複数の接点部４７１は、ケース本体４０１と天板４０２とを電気的に接続する。
【００７８】
複数の固定用ネジ部材４０４は、天板４０２がケース本体４０１に取り付けられた状態において、天板４０２をケース本体４０１に固定するための部材である。複数の固定用ネジ部材４０４を、図４に示すように、複数の固定用ネジ部材４０４を取り付ける方向であるネジ取付方向Ｄに移動させて、天板４０２及びケース本体４０１を固定する。ここで、複数の接点部４７１は、取付方向Ｄと交差する方向に向けて付勢されて、ケース本体４０１と天板４０２とを電気的に接続している。
【００７９】
次に、図６Ａから図６Ｄにおいて、本実施形態のシールドケース４００において、ケース本体４０１に天板４０２を取り付ける手順について説明する。
図６Ａは、ケース本体４０１に天板４０２を取り付ける際の取り付け手順を示す概念図であって、ケース本体４０１から天板４０２を外した状態を示す図である。図６Ｂは、ケース本体４０１に天板４０２を取り付ける際の取り付け手順を示す概念図であって、ケース本体４０１に天板４０２を取り付けた状態を示す図である。図６Ｃは、ケース本体４０１に天板４０２を取り付ける際の取り付け手順を示す概念図であって、複数の固定用ネジ部材４０４で固定する前の状態を示す図である。図６Ｄは、ケース本体４０１に天板４０２を取り付ける際の取り付け手順を示す概念図であって、ケース本体４０１及び天板４０２を、複数の固定用ネジ部材４０４で固定した状態を示す図である。
【００８０】
なお、図６Ａ及び図６Ｂは、Ｙ方向から視た概念図であり、説明の便宜上、複数の接点部４７１と、天板側係止孔部４８２及び本体側係止凸部４３２とを、同一平面上に示している。また、図６Ｃ及び図６Ｄは、Ｙ方向から視た概念図であり、説明の便宜上、複数の接点部４７１と、本体側ネジ孔４３１、天板側ネジ孔４８１及び固定用ネジ部材４０４とを、同一平面上に示している。
【００８１】
図６Ａから図６Ｄに示すように、回路基板６００をケース本体４０１に収容した状態で、コピー機１の筐体１１０の後側面１１１に取り付けられたケース本体４０１に、天板４０２を取り付ける手順について説明する。
【００８２】
まず、図６Ａに示すように、電子部品６０１が実装された回路基板６００が収容されたケース本体４０１に対して、天板４０２を天板取付方向Ｃに移動させる。天板取付方向Ｃは、複数の接点部４７１が付勢される方向に交差する方向である。
【００８３】
天板４０２を天板取付方向Ｃに移動させることにより、天板４０２をケース本体４０１の開口部４０３側から挿入していくと、天板４０２の複数の接点部４７１の複数の凸部４７３は、本体外縁部４３０の内縁に当接する。本体外縁部４３０の内縁には、本体側壁部４２０の開口部４０３側の端部が連結されている。
【００８４】
更に、天板４０２を天板取付方向Ｃに移動させることにより、複数の凸部４７３は、複数の付勢部４７２が撓むことにより、本体外縁部４３０の内縁（本体側壁部４２０の開口部４０３側の端部）に押圧されて、天板４０２の内部側（本体側壁部４２０から離れる側）に移動する。
そして、更に、天板４０２を天板取付方向Ｃに移動させることにより、複数の凸部４７３は、複数の付勢部４７２に付勢されることにより、本体側壁部４２０に当接した状態で、本体側壁部４２０の内面に沿って移動する。
更に、天板４０２を天板取付方向Ｃに移動させる。そして、天板４０２を、対向外縁部４８０が本体外縁部４３０に当接又は近接した状態に重なるまで移動させる。
【００８５】
ここで、複数の付勢部４７２は、図６Ｂに示すように、天板４０２がケース本体４０１に取り付けられた状態において、本体側壁部４２０と反対側に撓んで弾性力を有した状態となる。複数の凸部４７３は、複数の付勢部４７２により本体側壁部４２０に付勢された状態で、本体側壁部４２０に安定した押圧力で当接している。
そのため、複数の接点部４７１における本体側壁部４２０への押圧力のバラツキが低減されて、ケース本体４０１には、天板４０２が取り付けられる。
【００８６】
また、ケース本体４０１に天板４０２を取り付ける際に、同時に、天板側係止孔部４８２には、図６Ｂに示すように、本体側係止凸部４３２が挿入される。これにより、天板側係止孔部４８２が本体側係止凸部４３２に係止されることにより、天板４０２のＹ−Ｚ平面方向の位置（移動）が規制される。ここでは、天板４０２は、複数の接点部４７１が本体側壁部４２０に一定の押圧力で付勢された状態で、Ｙ−Ｚ平面方向の位置（移動）が規制された状態で、ケース本体４０１に取り付けられている。
【００８７】
次に、天板４０２を、ケース本体４０１に固定する。
具体的には、ケース本体４０１に天板４０２を取り付けた状態において、図６Ｃに示すように、固定用ネジ部材４０４を、天板４０２の外部側から、ネジ取付方向Ｄに挿入する。そして、固定用ネジ部材４０４を、天板側ネジ孔４８１及び本体側ネジ孔４３１に螺合させて、固定用ネジ部材４０４によりケース本体４０１及び天板４０２を固定する。ネジ取付方向Ｄは、複数の接点部４７１が付勢される方向に交差する方向である。本実施形態においては、ネジ取付方向Ｄは、天板取付方向Ｃと一致する。
【００８８】
ここで、固定用ネジ部材４０４を取り付ける際のネジ取付方向Ｄは、複数の接点部４７１が付勢される方向とは異なる方向である。従って、複数の接点部４７１が本体側壁部４２０に付勢された状態で、複数の接点部４７１の付勢力に邪魔されずに、固定用ネジ部材４０４により、ケース本体４０１に天板４０２を固定することができる。よって、固定用ネジ部材４０４によりケース本体４０１及び天板４０２を固定する際の作業性は、良好である。
【００８９】
次に、シールドケース４００を有するコピー機１において、回路基板６００に実装された電子部品６０１から輻射される高周波ノイズに対するシールド作用について説明する。
本実施形態のシールドケース４００に収容される電子部品６０１からは、高周波ノイズが輻射される。
【００９０】
ケース本体４０１の本体底面部４１０側において、ケース本体４０１の本体底面部４１０は、コピー機１の筐体１１０に電気的に接続される。そのため、ケース本体４０１の本体底面部４１０側に輻射された電子部品６０１からの高周波ノイズは、筐体１１０を介してグランドに流れ込む。これにより、本実施形態のシールドケース４００は、ケース本体４０１の本体底面部４１０側において、シールド性能を有する。
【００９１】
一方、天板４０２側において、複数の接点部４７１は、ケース本体４０１の本体側壁部４２０に安定した押圧力で当接されている。そのため、複数の接点部４７１は、ケース本体４０１と天板４０２とを安定した状態で電気的に接続する。
従って、天板４０２側に輻射された電子部品６０１からの高周波ノイズは、ケース本体４０１及び筐体１１０を介してグランドに流れ込む。そのため、本実施形態のシールドケース４００は、天板４０２側において、シールド性能を安定させることができる。
【００９２】
ここで、複数の凸部４７３は、複数の付勢部４７２により本体側壁部４２０に付勢された状態で、本体側壁部４２０に当接している。そのため、複数の接点部４７１における本体側壁部４２０への押圧力のバラツキが低減された状態で、ケース本体４０１には、天板４０２が取り付けられている。従って、取り付けの際の複数の接点部４７１の押圧力のバラツキが低減されるため、シールド性能のバラツキが低減される。
【００９３】
また、天板側係止孔部４８２が本体側係止凸部４３２に係止されることにより、天板４０２のＹ−Ｚ平面方向の位置（移動）が規制される。天板４０２は、複数の接点部４７１が本体側壁部４２０に一定の押圧力で付勢された状態で、Ｙ−Ｚ平面方向の位置（移動）が規制されて、ケース本体４０１に取り付けられている。
これにより、複数の接点部４７１は、Ｙ−Ｚ平面方向において、複数の接点部４７１の押圧力の偏りが低減された状態で、本体側壁部４２０に安定して当接される。
また、複数の接点部４７１の押圧力の偏りが低減されるため、複数の接点部４７１における過度の押圧力による本体側壁部４２０の変形は、低減される。そのため、複数の接点部４７１は、本体側壁部４２０に安定して当接される。
従って、シールドケース４００のシールド性能を安定させることができる。
【００９４】
また、固定用ネジ部材４０４は、ネジ取付方向Ｄと複数の接点部４７１が付勢する方向とが異なる状態で、ケース本体４０１及び天板４０２を固定している。そのため、固定用ネジ部材４０４によりケース本体４０１及び天板４０２を固定した後において、固定用ネジ部材４０４には、複数の接点部４７１の付勢力が作用しにくい。従って、固定用ネジ部材４０４は、ケース本体４０１及び天板４０２の固定状態を維持して、シールドケース４００のシールド性能を維持することができる。
【００９５】
また、ケース本体４０１は、本体外縁部４３０を備えている。そのため、本体側壁部４２０の開口部４０３側の端部側の剛性が高い。これにより、複数の接点部４７１は、剛性が高い部分に当接している。従って、複数の接点部４７１の押圧力による本体側壁部４２０の変形が低減され、複数の接点部４７１は、本体側壁部４２０に安定して当接される。これにより、シールドケース４００のシールド性能を安定させることができる。
【００９６】
また、複数の接点部４７１の複数の凸部４７３は、自由端側の先端側に形成されている。そのため、複数の付勢部４７２の撓み量が少ない状態で、複数の凸部４７３が本体側壁部４２０に当接する。これにより、複数の付勢部４７２の撓みにより形成される複数の付勢部４７２と本体側壁部４２０との隙間を、小さくすることができる。従って、複数の接点部４７１が撓むことにより形成される隙間から漏れるノイズを低減することができる。
【００９７】
また、本実施形態においては、複数の接点部４７１の間隔を、規制されるノイズの周波数に応じて設定している。
例えば、複数の接点部４７１の間隔は、一定ではない。そのため、ダイポールアンテナとして機能する可能性が低減される。
また、複数の接点部４７１の間隔は、複数の接点部４７１の間隔により形成される僅かな溝から漏洩するノイズの周波数が、ＥＭＩ規格で規制される周波数（例えば、３０ＭＨｚ〜６ＧＨｚ）を避けるように設定される。そのため、シールドケース４００は、所定の周波数のノイズを輻射することが低減される。
【００９８】
本実施形態のコピー機１のシールドケース４００によれば、例えば、次のような効果が奏される。
本実施形態のシールドケース４００においては、電子部品６０１が実装された基板６００を収容し、開口部４０３を有する導電性のケース本体４０１であって、一部が開口部４０３を形成する本体側壁部４２０と、本体側壁部４２０における開口部４０３側の端部に連続して開口部４０３の外側に延びるように形成される本体外縁部４３０と、を有するケース本体４０１と、開口部４０３を塞ぐように配置される導電性の天板４０２であって、本体外縁部４３０に対向して配置される対向外縁部４８０と、凹状部４５０であって、対向外縁部４８０に連結され本体側壁部４２０に対向して配置される対向側壁部４７０と、外縁が対向側壁部４７０における対向外縁部４８０と反対側の端部に連結される天板底部４６０とを有する凹状部４５０と、対向側壁部４７０に形成され、本体側壁部４２０側に向けて付勢されてケース本体４０１と天板４０２とを電気的に接続する複数の接点部４７１と、を有する天板４０２と、を備える。
【００９９】
そのため、複数の接点部４７１が本体側壁部４２０に向けて付勢されることで、ケース本体４０１と天板４０２とは、安定した状態で電気的に接続される。これにより、天板４０２側において電子部品６０１から輻射される高周波ノイズは、ケース本体４０１側に流される。従って、本実施形態のシールドケース４００は、高周波ノイズに対するシールド性能が向上される。
【０１００】
また、複数の接点部４７１は、対向側壁部４７０に形成される。そのため、シールド性能を向上させるための別の部材を必要としない。従って、シールド性能を向上させるための別の部材に要するコストを低減することができる。
【０１０１】
また、本実施形態のシールドケース４００は、本体外縁部４３０を有する。そのため、本体側壁部４２０の開口部４０３側の端部の剛性が高い。これにより、複数の接点部４７１の押圧力による本体側壁部４２０の変形が低減され、シールドケース４００のシールド性能を安定させることができる。
【０１０２】
また、対向外縁部４８０及び本体外縁部４３０は、開口部４０３の外側に延びた状態で、互いに対向して配置される。そのため、対向外縁部４８０及び本体外縁部４３０が重なっており、対向外縁部４８０と本体外縁部４３０との間から、高周波ノイズが漏れにくい構成となっている。これにより、シールドケース４００は、高周波ノイズに対するシールド性能が向上される。
【０１０３】
また、本実施形態のシールドケース４００においては、接点部４７１は、対向側壁部４７０を切り欠いて形成され、自由端を有する付勢部４７２と、付勢部４７２の自由端側における本体側壁部４２０側の面に形成され、本体側壁部４２０側へ突出する凸部４７３と、を有し、天板４０２がケース本体４０１に取り付けられた状態において、付勢部４７２は、本体側壁部４２０と反対側に撓んで弾性力を有した状態となり、凸部４７３は、付勢部４７２により本体側壁部４２０に付勢された状態で本体側壁部４２０に当接する。
【０１０４】
そのため、組み立てによる複数の接点部４７１の押圧力のバラツキは、低減される。これにより、複数の接点部４７１は、本体側壁部４２０に安定した押圧力で当接する。従って、シールドケース４００のシールド性能を安定させることができる。
【０１０５】
また、天板４０２をケース本体４０１に取り付けるだけで、天板４０２の複数の接点部４７１は、ケース本体４０１の本体側壁部４２０に付勢されて、ケース本体４０１の本体側壁部４２０に安定した押圧力で当接する。そのため、天板４０２をケース本体４０１に取り付けるだけの簡易な構成で、シールド性能を確保することができる。
【０１０６】
また、本実施形態のシールドケース４００においては、本体外縁部４３０に形成される本体側係止凸部４３２（位置決め部）と、対向外縁部４８０に形成され、本体外縁部４３０が延びる方向の天板４０２の位置を規制するように本体側係止凸部４３２に係止される天板側係止孔部４８２（被位置決め部）と、を備える。
そのため、接点部４７１が本体側壁部４２０に一定の押圧力で安定に付勢された状態で、天板４０２は、Ｙ−Ｚ平面方向への位置（移動）が規制される。これにより、接点部４７１の押圧力の偏りが低減された状態で、複数の接点部４７１は、本体側壁部４２０に安定して当接される。従って、シールドケース４００のシールド性能を安定させることができる。
【０１０７】
また、本実施形態のシールドケース４００においては、天板４０２をケース本体４０１に固定するための固定用ネジ部材４０４であって、固定用ネジ部材４０４を取り付ける方向であるネジ取付方向Ｄ（取付方向）に挿入して、天板４０２及びケース本体４０１を固定する固定用ネジ部材４０４を備え、複数の接点部４７１は、ネジ取付方向Ｄと交差する方向に向けて付勢されて、ケース本体４０１と天板４０２とを電気的に接続する。
【０１０８】
そのため、ネジ取付方向Ｄと複数の接点部４７１が付勢する方向とが異なるため、固定用ネジ部材４０４によりケース本体４０１及び天板４０２を固定する際の作業性は、良好である。
また、固定用ネジ部材４０４によりケース本体４０１及び天板４０２を固定した後において、固定用ネジ部材４０４には、複数の接点部４７１の付勢力が作用しにくいため、ケース本体４０１及び天板４０２の固定状態を維持しやすい。従って、シールドケース４００のシールド性能を安定した状態で維持することができる。
【０１０９】
また、本実施形態のシールドケース４００においては、複数の接点部４７１の間隔は、規制されるノイズの周波数に応じて設定される。
例えば、複数の接点部４７１の間隔が一定ではない。そのため、ダイポールアンテナとして機能する可能性が低減される。
また、複数の接点部４７１の間隔は、複数の接点部４７１の間隔により形成される僅かな溝から漏洩するノイズの周波数が、ＥＭＩ規格で規制される周波数（例えば、３０ＭＨｚ〜６ＧＨｚ）を避けるように設定される。そのため、シールドケース４００は、所定の周波数のノイズを輻射することが低減される。
【０１１０】
以上、好適な実施形態について説明したが、本発明は前述した実施形態に限定されることなく、種々の形態で実施することができる。
例えば、前記実施形態においては、複数の接点部４７１の間隔を一定でないように構成したが、これに制限されない。複数の接点部４７１の間隔は、一定であってもよい。例えば、複数の接点部４７１を、規制される最大周波数波長のλ／４未満で等間隔に設けてもよい。
【０１１１】
また、前記実施形態においては、接点部４７１の付勢部４７２において、付勢部４７２を形成するＵ字状溝部４７４を、Ｕ字の文字の開放側の端部が、対向側壁部４７０における天板底部４６０側の端部に位置するような向き及び位置に形成している。しかし、付勢部４７２を形成するＵ字状溝部４７４の向き及び位置は、これに制限されない。例えば、付勢部４７２を形成するＵ字状溝部４７４を、Ｕ字の文字の開放側の端部が、Ｚ方向を向くように形成してもよい。
【０１１２】
また、前記実施形態において、複数の接点部４７１を、天板４０２に一体的に形成したが、これに制限されない。例えば、複数の接点部４７１を、別部材の板バネ部材等により構成してもよい。そして、ケース本体４０１の本体側壁部４２０と、天板４０２の対向側壁部４７０との間に板バネ部材等を配置することにより、ケース本体４０１と天板４０２とを、板バネ部材等の付勢力により電気的に接続するように構成してもよい。
【０１１３】
本発明の画像形成装置の種類は、特に限定がなく、コピー機のほか、プリンター、ファクシミリ、又はこれらの複合機等であってもよい。
シート状の被画像形成材は、用紙に制限されず、例えば、フィルムシートであってもよい。
【符号の説明】
【０１１４】
１……コピー機（画像形成装置）、１１０……筐体、１１３…本体側壁部、４００……シールドケース、４０１……ケース本体、４０２……天板、４０３……開口部、４０４……固定用ネジ部材（固定部材）、４２０……本体側壁部、４３０……本体外縁部、４３２……本体側係止凸部（位置決め部）、４８２……天板側係止孔部（被位置決め部）、４５０……凹状部、４６０……天板底部、４７０……対向側壁部、４７１……接点部、４７２……付勢部、４７３……凸部、４８０……対向外縁部、６００……回路基板（基板）、６０１……電子部品、Ｄ……ネジ取付方向（取付方向）、ＧＫ……画像形成部、Ｔ……用紙（被画像形成材）
【図１】
0005461596.tif 000002
【図２】
0005461596.tif 000003
【図３】
0005461596.tif 000004
【図４】
0005461596.tif 000005
【図５】
0005461596.tif 000006
【図６Ａ】
0005461596.tif 000007
【図６Ｂ】
0005461596.tif 000008
【図６Ｃ】
0005461596.tif 000009
【図６Ｄ】
0005461596.tif 000010